(57)【特許請求の範囲】
【請求項１】
表示画面においてスクロール動作可能な複数のコンテンツが並べられたものである第一コンテンツリストの少なくとも一部を前記表示画面に表示させる第一コンテンツリスト表示部と、
前記第一コンテンツリストに含まれるコンテンツであってユーザにより選択されたコンテンツである基点コンテンツを特定する基点コンテンツ特定部と、
前記第一コンテンツリストにおける前記基点コンテンツの位置である第一基点コンテンツ位置を取得する基点コンテンツ位置取得部と、
前記第一コンテンツリストのうち前記表示画面に表示されている領域の前記第一コンテンツリストにおける位置であるフォーカス位置を取得するフォーカス位置取得部と、
取得された前記第一基点コンテンツ位置と前記フォーカス位置との位置相違を算出する位置相違算出部と、
前記位置相違が小さくなるように、前記表示画面に表示された前記第一コンテンツリストをスクロールさせる第一スクロール処理部と
を備える表示制御装置。
【請求項２】
前記位置相違算出部は、前記第一基点コンテンツ位置と前記フォーカス位置との間に物理的な張力を擬似的に発生させた場合の、前記第一基点コンテンツ位置と前記フォーカス位置との間の距離に伴う前記張力の大きさを、前記位置相違として算出する張力算出部を備え、
前記第一スクロール処理部は、前記張力の擬似的な復元力に従い前記張力が小さくなるように、前記第一コンテンツリストをスクロールさせる
請求項１に記載の表示制御装置。
【請求項３】
前記表示制御装置は、更に、
前記張力の大きさを可視化して前記表示画面に表示させる張力表示部を備える
請求項２に記載の表示制御装置。
【請求項４】
前記張力表示部は、前記張力を擬似的なゴムまたはバネで表現して表示させる
請求項３に記載の表示制御装置。
【請求項５】
前記張力表示部は、前記第一基点コンテンツ位置と前記フォーカス位置との間に前記張力を表示させる
請求項３または４に記載の表示制御装置。
【請求項６】
前記表示制御装置は、更に、
前記位置相違の大きさを可視化して前記表示画面に表示させる位置相違表示部を備える
請求項１に記載の表示制御装置。
【請求項７】
前記位置相違表示部は、前記位置相違の大きさを、線の長さ、線の太さ、色の濃さ、矢印、及び数字のうちの少なくとも１つに対応させて表示させる
請求項６に記載の表示制御装置。
【請求項８】
前記表示制御装置は、更に、
前記表示画面上の前記第一コンテンツリストとは別領域に、前記基点コンテンツを表示させる基点コンテンツ表示部を備え、
前記位置相違算出部は、前記基点コンテンツ表示部により表示された基点コンテンツの位置であって、前記第一基点コンテンツ位置との位置相違が前記第一基点コンテンツ位置と前記フォーカス位置との位置相違と対応する位置である第二基点コンテンツ位置と前記第一基点コンテンツ位置との間に物理的な張力を擬似的に発生させた場合の、前記第二基点コンテンツ位置と前記第一基点コンテンツ位置との間の距離に伴う前記張力の大きさを、前記位置相違として算出する張力算出部を備え、
前記第一スクロール処理部は、前記張力の擬似的な復元力に従い前記張力が小さくなるように、前記第一コンテンツリストをスクロールさせる
請求項１に記載の表示制御装置。
【請求項９】
前記表示制御装置は、更に、
前記表示画面上の前記第一コンテンツリストとは別領域に、前記基点コンテンツの候補となる複数のコンテンツが並べられたものである第二コンテンツリストを表示させる第二コンテンツリスト表示部を備え、
前記位置相違算出部は、前記第二コンテンツリストにおいて特定された基点コンテンツの位置であって、前記第一基点コンテンツ位置との位置相違が前記第一基点コンテンツ位置と前記フォーカス位置との位置相違と対応する位置である第三基点コンテンツ位置と、前記第一基点コンテンツ位置との間に物理的な張力を擬似的に発生させた場合の、前記第三基点コンテンツ位置と前記第一基点コンテンツ位置との間の距離に伴う前記張力の大きさを、前記位置相違として算出する張力算出部を備え、
前記第一スクロール処理部は、前記張力の擬似的な復元力に従い前記張力が小さくなるように、前記第一コンテンツリストをスクロールさせる
請求項１に記載の表示制御装置。
【請求項１０】
前記表示制御装置は、更に、
前記表示画面上における第一ポイントの位置である第一ポイント位置の指定を受け付ける第一ポイント取得部と、
前記表示画面上における第二ポイントの位置である第二ポイント位置の指定を受け付ける第二ポイント取得部と、
前記第一基点コンテンツ位置と前記フォーカス位置との位置相違が前記第一ポイント位置と前記第二ポイント位置との位置相違と対応するように、前記第一コンテンツリストをスクロールさせる第二スクロール処理部とを備え、
前記第一スクロール処理部は、前記第一ポイント取得部が前記第一ポイント位置の指定を受け付けなくなった場合、または前記第二ポイント取得部が前記第二ポイント位置の指定を受け付けなくなった場合に、前記位置相違が小さくなるように前記第一コンテンツリストをスクロールさせる
請求項１に記載の表示制御装置。
【請求項１１】
前記第一スクロール処理部は、前記位置相違の大きさに関わらず、同一の時間で前記位置相違が所定の大きさまで小さくなるように、前記第一コンテンツリストをスクロールさせる
請求項１〜１０のいずれか１項に記載の表示制御装置。
【請求項１２】
前記第一スクロール処理部は、前記位置相違の大きさに対応した時間で前記位置相違が所定の大きさまで小さくなるように、前記第一コンテンツリストをスクロールさせる
請求項１〜１０のいずれか１項に記載の表示制御装置。
【請求項１３】
前記第一スクロール処理部は、前記第一基点コンテンツ位置と前記フォーカス位置との間に存在するコンテンツ数に対応した時間で、前記位置相違が所定の大きさまで小さくなるように、前記第一コンテンツリストをスクロールさせる
請求項１〜１０のいずれか１項に記載の表示制御装置。
【請求項１４】
前記第一スクロール処理部は、前記基点コンテンツに対応付けられた時刻と前記フォーカス位置に存在するコンテンツに対応付けられた時刻との関係に対応した時間で、前記位置相違が所定の大きさまで小さくなるように、前記第一コンテンツリストをスクロールさせる
請求項１〜１０のいずれか１項に記載の表示制御装置。
【請求項１５】
前記基点コンテンツ特定部は、他の機器から、前記基点コンテンツを識別する情報を受信することで、前記情報で識別される基点コンテンツを特定する
請求項１〜１４のいずれか１項に記載の表示制御装置。
【請求項１６】
表示画面においてスクロール動作可能な複数のコンテンツが並べられたものである第一コンテンツリストの少なくとも一部を前記表示画面に表示させる第一コンテンツリスト表示ステップと、
前記第一コンテンツリストに含まれるコンテンツであってユーザにより選択されたコンテンツである基点コンテンツを特定する基点コンテンツ特定ステップと、
前記第一コンテンツリストにおける前記基点コンテンツの位置である第一基点コンテンツ位置を取得する基点コンテンツ位置取得ステップと、
前記第一コンテンツリストのうち前記表示画面に表示されている領域の前記第一コンテンツリストにおける位置であるフォーカス位置を取得するフォーカス位置取得ステップと、
取得された前記第一基点コンテンツ位置と前記フォーカス位置との位置相違を算出する位置相違算出ステップと、
前記位置相違が小さくなるように、前記表示画面に表示された前記第一コンテンツリストをスクロールさせる第一スクロール処理ステップと
を含む表示制御方法。
【請求項１７】
請求項１６に記載の表示制御方法に含まれるステップをコンピュータに実行させるためのプログラム。
【請求項１８】
表示画面においてスクロール動作可能な複数のコンテンツが並べられたものである第一コンテンツリストの少なくとも一部を前記表示画面に表示させる第一コンテンツリスト表示部と、
前記第一コンテンツリストに含まれるコンテンツであってユーザにより選択されたコンテンツである基点コンテンツを特定する基点コンテンツ特定部と、
前記第一コンテンツリストにおける前記基点コンテンツの位置である第一基点コンテンツ位置を取得する基点コンテンツ位置取得部と、
前記第一コンテンツリストのうち前記表示画面に表示されている領域の前記第一コンテンツリストにおける位置であるフォーカス位置を取得するフォーカス位置取得部と、
取得された前記第一基点コンテンツ位置と前記フォーカス位置との位置相違を算出する位置相違算出部と、
前記位置相違が小さくなるように、前記表示画面に表示された前記第一コンテンツリストをスクロールさせる第一スクロール処理部と
を備える集積回路。
【発明の詳細な説明】
【技術分野】
【０００１】
本発明は、コンテンツの探索を容易にするスクロール制御を可能とする表示制御装置および表示制御方法に関する。
【背景技術】
【０００２】
近年、記録媒体の記録容量の増加に伴い、ユーザが写真や動画、楽曲等のコンテンツを探索する機会が増大している。【０００３】
コンテンツを探索する代表的な方法としてスクロールがあるが、従来からスクロールを制御し表示するための方法が幾つか提案されている。例えば、タッチパネルを用いてコンテンツをスクロールし、スクロール操作に応じてコンテンツリストの表示方法を調整させる方法が提案されている（特許文献１参照）。また、スクロールの分解能が異なる２つの軸でそれぞれコンテンツのサムネイルを表示し、それら２軸のサムネイルを連動してスクロールさせるための方法が提案されている（特許文献２参照）。
【先行技術文献】
【特許文献】
【０００４】
【特許文献１】特表２００９−５１８７５８号公報
【特許文献２】特開２００８−５２６２１号公報
【発明の概要】
【発明が解決しようとする課題】
【０００５】
しかしながら、上記の従来例においては、ユーザがコンテンツリストのスクロール操作をする上で、所望のコンテンツの検索が困難な場合があり、この場合には、ユーザが多くの操作を行って装置に大きな負荷が生じたり、使用電力が大きく増加したりするおそれがある。【０００６】
本発明は、上記従来の課題を解決するものであり、ユーザがコンテンツリストに対してスクロール操作をする場合に、コンテンツの検索が容易になるように当該コンテンツリストのスクロール操作を制御することができる表示制御装置および表示制御方法を提供することを目的とする。
【課題を解決するための手段】
【０００７】
上記従来の課題を解決するために、本発明の一態様に係る表示制御装置は、スクロール動作可能なコンテンツのリストである第一コンテンツリストを表示画面に表示させる第一コンテンツリスト表示部と、前記第一コンテンツリストにおける基点コンテンツを特定する基点コンテンツ特定部と、前記第一コンテンツリストにおける前記基点コンテンツの位置である第一基点コンテンツ位置を取得する基点コンテンツ位置取得部と、前記表示画面に表示された前記第一コンテンツリスト中の所定の領域についての前記第一コンテンツリストにおける位置であるフォーカス位置を取得するフォーカス位置取得部と、取得された前記第一基点コンテンツ位置と前記フォーカス位置との位置相違を算出する位置相違算出部と、前記位置相違が小さくなるように、前記表示画面に表示された前記第一コンテンツリストをスクロールさせる第一スクロール処理部とを備える。【０００８】
なお、これらの全般的または具体的な態様は、システム、方法、集積回路、コンピュータプログラムまたはコンピュータ読み取り可能なＣＤ−ＲＯＭ等の記録媒体で実現されてもよく、装置、システム、方法、集積回路、コンピュータプログラムおよび記録媒体の任意な組み合わせで実現されてもよい。
【発明の効果】
【０００９】
本発明によれば、ユーザがコンテンツリストにおいてコンテンツ探索をする場合に、コンテンツ検索が容易になるように当該コンテンツリストのスクロール操作を制御することができるため、ユーザが多くの操作を行って装置に大きな負荷が生じたり、使用電力が大きく増加したりすることを抑制することができる。
【図面の簡単な説明】
【００１０】
【図１】図１は、本発明の実施の形態１における表示制御装置の機能的な構成を示すブロック図である。
【図２】図２は、本発明の実施の形態１における第一コンテンツリスト、基点コンテンツ位置及びフォーカス位置を説明するための図である。
【図３】図３は、本発明の実施の形態１における表示制御装置が行う処理の一例を示すフローチャートである。
【図４】図４は、本発明の実施の形態１における表示制御装置が行う処理を説明する図である。
【図５】図５は、本発明の実施の形態２における表示制御装置の機能的な構成を示すブロック図である。
【図６】図６は、本発明の実施の形態２における表示制御装置が行う処理の一例を示すフローチャートである。
【図７】図７は、本発明の実施の形態２における表示制御装置が行う処理を説明する図である。
【図８】図８は、本発明の実施の形態３における表示制御装置の機能的な構成を示すブロック図である。
【図９】図９は、本発明の実施の形態３における表示制御装置が行う処理の一例を示すフローチャートである。
【図１０】図１０は、本発明の実施の形態３における表示制御装置が行う処理を説明する図である。
【図１１】図１１は、本発明の実施の形態４における表示制御装置の機能的な構成を示すブロック図である。
【図１２】図１２は、本発明の実施の形態４における表示制御装置が行う処理の一例を示すフローチャートである。
【図１３】図１３は、本発明の実施の形態４における表示制御装置が行う処理を説明する図である。
【図１４】図１４は、本発明の実施の形態４における表示制御装置が行う処理を説明する図である。
【図１５】図１５は、本発明の実施の形態５における表示制御装置の機能的な構成を示すブロック図である。
【図１６】図１６は、本発明の実施の形態５における表示制御装置が行う処理の一例を示すフローチャートである。
【図１７】図１７は、本発明の実施の形態５における表示制御装置が行う処理を説明する図である。
【図１８】図１８は、本発明の実施の形態５における表示制御装置が行う処理を説明する図である。
【図１９】図１９は、本発明の実施の形態６における表示制御装置の機能的な構成を示すブロック図である。
【図２０】図２０は、本発明の実施の形態６における表示制御装置が行う処理の一例を示すフローチャートである。
【図２１】図２１は、本発明の実施の形態６における表示制御装置が行う処理を説明する図である。
【図２２】図２２は、本発明の実施の形態６における表示制御装置が行う処理を説明する図である。
【図２３】図２３は、本発明の実施の形態７における表示制御装置を説明するための図である。
【図２４】図２４は、本発明の他の実施の形態における表示制御装置を説明するための図である。
【図２５】図２５は、本発明の実施の形態におけるコンテンツリストの表示形態の他の例を示す図である。
【図２６】図２６は、本発明の実施の形態におけるコンテンツリストの表示形態の他の例を示す図である。
【発明を実施するための形態】
【００１１】
（本発明の基礎となった知見）
本発明者は、「背景技術」の欄において記載した従来の方法に関し、以下の課題が生じることを見出した。
【００１２】
つまり、上記の従来例においては、ユーザがコンテンツリストのスクロール操作をする上で、選択したコンテンツを基にその前後のコンテンツを確認したり、次に選択したいコンテンツを探索したりする場合等に、一旦その選択したコンテンツを保持しながらスクロール操作をすることができず、ユーザにその選択したコンテンツを再探索するというような負荷が生じる。また、撮影し取得した複数のコンテンツの中から選出した複数のコンテンツからなるコンテンツリスト上でコンテンツ選択やスクロール操作をする場合に、そのコンテンツリスト上でフォーカスされているコンテンツが、元々の撮影し取得したコンテンツからなるコンテンツリスト上でどういった位置に存在するのかといった関係性が把握できない、といった課題があった。
【００１３】
そして、これにより、ユーザがコンテンツリストのスクロール操作をする場合に、ユーザが多くの操作を行って装置に大きな負荷が生じたり、使用電力が大きく増加したりするおそれがあった。
【００１４】
この課題を解決するために、本発明の一態様に係る表示制御装置は、スクロール動作可能なコンテンツのリストである第一コンテンツリストを表示画面に表示させる第一コンテンツリスト表示部と、前記第一コンテンツリストにおける基点コンテンツを特定する基点コンテンツ特定部と、前記第一コンテンツリストにおける前記基点コンテンツの位置である第一基点コンテンツ位置を取得する基点コンテンツ位置取得部と、前記表示画面に表示された前記第一コンテンツリスト中の所定の領域についての前記第一コンテンツリストにおける位置であるフォーカス位置を取得するフォーカス位置取得部と、取得された前記第一基点コンテンツ位置と前記フォーカス位置との位置相違を算出する位置相違算出部と、前記位置相違が小さくなるように、前記表示画面に表示された前記第一コンテンツリストをスクロールさせる第一スクロール処理部とを備える。
【００１５】
本構成によれば、表示制御装置は、基点コンテンツの位置である第一基点コンテンツ位置とフォーカス位置との位置相違が小さくなるように、表示画面に表示された第一コンテンツリストをスクロールさせる。つまり、表示制御装置は、基点コンテンツをフォーカス位置に戻すように、第一コンテンツリストをスクロールさせる。これにより、ユーザが基点コンテンツとして特定したコンテンツを基点としたコンテンツリストのスクロール制御を行うことが可能となる。
【００１６】
このため、ユーザがコンテンツリストにおいてコンテンツ探索をする場合に、選択して特定したコンテンツを基点としてスクロール操作を行うことができ、コンテンツリストのスクロール操作の利便性を高めることができる。これにより、ユーザが多くの操作を行って装置に大きな負荷が生じたり、使用電力が大きく増加したりすることを抑制することができる。
【００１７】
また、例えば、前記位置相違算出部は、前記第一基点コンテンツ位置と前記フォーカス位置との間に物理的な張力を擬似的に発生させた場合の、前記第一基点コンテンツ位置と前記フォーカス位置との間の距離に伴う前記張力の大きさを、前記位置相違として算出する張力算出部を備え、前記第一スクロール処理部は、前記張力の擬似的な復元力に従い前記張力が小さくなるように、前記第一コンテンツリストをスクロールさせることにしてもよい。
【００１８】
これによれば、張力算出部が、第一基点コンテンツ位置とフォーカス位置との間の距離に伴う張力の大きさを、位置相違として算出し、第一スクロール処理部が、当該張力の擬似的な復元力に従い当該張力が小さくなるように、第一コンテンツリストをスクロールさせる。つまり、表示制御装置は、第一基点コンテンツ位置とフォーカス位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択したコンテンツを基点としたコンテンツリストのスクロール制御を行うことが可能となる。
【００１９】
また、例えば、前記表示制御装置は、更に、前記張力の大きさを可視化して前記表示画面に表示させる張力表示部を備えることにしてもよい。また、例えば、前記張力表示部は、前記張力を擬似的なゴムまたはバネで表現して表示させることにしてもよい。また、例えば、前記張力表示部は、前記第一基点コンテンツ位置と前記フォーカス位置との間に前記張力を表示させることにしてもよい。
【００２０】
これによれば、表示制御装置は、張力表示部によって、第一基点コンテンツ位置とフォーカス位置との間の張力の大きさを可視化して表示画面に表示させる。つまり、当該張力の大きさが可視化されて表示されるので、フォーカス位置に表示されているコンテンツと、基点コンテンツとの位置相違を視覚的に把握することができる。このため、ユーザが基点コンテンツとして選択したコンテンツを基点としたコンテンツリストのスクロール制御を視覚的に行うことが可能となる。
【００２１】
また、例えば、前記表示制御装置は、更に、前記位置相違の大きさを可視化して前記表示画面に表示させる位置相違表示部を備えることにしてもよい。また、例えば、前記位置相違表示部は、前記位置相違の大きさを、線の長さ、線の太さ、色の濃さ、矢印、及び数字のうちの少なくとも１つに対応させて表示させることにしてもよい。
【００２２】
これによれば、表示制御装置は、位置相違表示部によって、第一基点コンテンツ位置とフォーカス位置との位置相違の大きさを可視化して表示画面に表示させる。つまり、当該位置相違の大きさが可視化されて表示されるので、フォーカス位置に表示されているコンテンツと、基点コンテンツとの位置相違を視覚的に把握することができる。このため、ユーザが基点コンテンツとして選択したコンテンツを基点としたコンテンツリストのスクロール制御を視覚的に行うことが可能となる。
【００２３】
また、例えば、前記表示制御装置は、更に、前記表示画面上の前記第一コンテンツリストとは別領域に、前記基点コンテンツを表示させる基点コンテンツ表示部を備え、前記位置相違算出部は、前記基点コンテンツ表示部により表示された基点コンテンツの位置であって、前記第一基点コンテンツ位置との位置相違が前記第一基点コンテンツ位置と前記フォーカス位置との位置相違と対応する位置である第二基点コンテンツ位置と前記第一基点コンテンツ位置との間に物理的な張力を擬似的に発生させた場合の、前記第二基点コンテンツ位置と前記第一基点コンテンツ位置との間の距離に伴う前記張力の大きさを、前記位置相違として算出する張力算出部を備え、前記第一スクロール処理部は、前記張力の擬似的な復元力に従い前記張力が小さくなるように、前記第一コンテンツリストをスクロールさせることにしてもよい。
【００２４】
これによれば、張力算出部が、第一コンテンツリストとは別領域の基点コンテンツの第二基点コンテンツ位置と第一基点コンテンツ位置との間の距離に伴う張力の大きさを、位置相違として算出し、第一スクロール処理部が、当該張力の擬似的な復元力に従い当該張力が小さくなるように、第一コンテンツリストをスクロールさせる。つまり、表示制御装置は、第二基点コンテンツ位置と第一基点コンテンツ位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択したコンテンツを基点としたコンテンツリストのスクロール制御を行うことが可能となる。
【００２５】
また、例えば、前記表示制御装置は、更に、前記張力の大きさを可視化して前記表示画面に表示させる張力表示部を備えることにしてもよい。また、例えば、前記張力表示部は、前記張力を擬似的なゴムまたはバネで表現して表示させることにしてもよい。また、例えば、前記張力表示部は、前記第二基点コンテンツ位置と前記第一基点コンテンツ位置との間に前記張力を表示させることにしてもよい。
【００２６】
これによれば、表示制御装置は、張力表示部によって、第二基点コンテンツ位置と第一基点コンテンツ位置との間の張力の大きさを可視化して表示画面に表示させる。つまり、当該張力の大きさが可視化されて表示されるので、第二基点コンテンツ位置と第一基点コンテンツ位置との位置相違を視覚的に把握することができる。このため、ユーザが基点コンテンツとして選択したコンテンツを基点としたコンテンツリストのスクロール制御を視覚的に行うことが可能となる。
【００２７】
また、例えば、前記表示制御装置は、更に、前記表示画面上の前記第一コンテンツリストとは別領域に、前記基点コンテンツの候補となるコンテンツのリストである第二コンテンツリストを表示させる第二コンテンツリスト表示部を備え、前記位置相違算出部は、前記第二コンテンツリストにおいて特定された基点コンテンツの位置であって、前記第一基点コンテンツ位置との位置相違が前記第一基点コンテンツ位置と前記フォーカス位置との位置相違と対応する位置である第三基点コンテンツ位置と、前記第一基点コンテンツ位置との間に物理的な張力を擬似的に発生させた場合の、前記第三基点コンテンツ位置と前記第一基点コンテンツ位置との間の距離に伴う前記張力の大きさを、前記位置相違として算出する張力算出部を備え、前記第一スクロール処理部は、前記張力の擬似的な復元力に従い前記張力が小さくなるように、前記第一コンテンツリストをスクロールさせることにしてもよい。
【００２８】
これによれば、張力算出部が、第二コンテンツリストにおいて特定された基点コンテンツの第三基点コンテンツ位置と第一基点コンテンツ位置との間の距離に伴う張力の大きさを、位置相違として算出し、第一スクロール処理部が、当該張力の擬似的な復元力に従い当該張力が小さくなるように、第一コンテンツリストをスクロールさせる。つまり、表示制御装置は、第三基点コンテンツ位置と第一基点コンテンツ位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択して特定したコンテンツを基点としたコンテンツリストのスクロール制御を行うことが可能となる。
【００２９】
また、例えば、前記表示制御装置は、更に、前記張力の大きさを可視化して前記表示画面に表示させる張力表示部を備えることにしてもよい。また、例えば、前記張力表示部は、前記張力を擬似的なゴムまたはバネで表現して表示させることにしてもよい。また、例えば、前記張力表示部は、前記第三基点コンテンツ位置と前記第一基点コンテンツ位置との間に前記張力を表示させることにしてもよい。
【００３０】
これによれば、表示制御装置は、張力表示部によって、第三基点コンテンツ位置と第一基点コンテンツ位置との間の張力の大きさを可視化して表示画面に表示させる。つまり、当該張力の大きさが可視化されて表示されるので、第三基点コンテンツ位置と第一基点コンテンツ位置との位置相違を視覚的に把握することができる。このため、ユーザが基点コンテンツとして選択したコンテンツを基点としたコンテンツリストのスクロール制御を視覚的に行うことが可能となる。
【００３１】
また、例えば、前記表示制御装置は、更に、前記表示画面上における第一ポイントの位置である第一ポイント位置の指定を受け付ける第一ポイント取得部と、前記表示画面上における第二ポイントの位置である第二ポイント位置の指定を受け付ける第二ポイント取得部と、前記第一基点コンテンツ位置と前記フォーカス位置との位置相違が前記第一ポイント位置と前記第二ポイント位置との位置相違と対応するように、前記第一コンテンツリストをスクロールさせる第二スクロール処理部とを備え、前記第一スクロール処理部は、前記第一ポイント取得部が前記第一ポイント位置の指定を受け付けなくなった場合、または前記第二ポイント取得部が前記第二ポイント位置の指定を受け付けなくなった場合に、前記位置相違が小さくなるように前記第一コンテンツリストをスクロールさせることにしてもよい。
【００３２】
これによれば、第二スクロール処理部が、第一基点コンテンツ位置とフォーカス位置との位置相違が第一ポイント位置と第二ポイント位置との位置相違と対応するように、第一コンテンツリストをスクロールさせ、第一スクロール処理部が、第一ポイント位置または第二ポイント位置の指定が受け付けられなくなった場合に、当該位置相違が小さくなるように第一コンテンツリストをスクロールさせる。つまり、第一ポイント位置または第二ポイント位置の指定を受け付けることで、第一コンテンツリストはスクロールされるが、第一ポイント位置または第二ポイント位置の指定がなくなれば、当該位置相違が小さくなるように第一コンテンツリストがスクロールする。このため、例えば２本の指を用いて柔軟に第一コンテンツリストをスクロールさせることができるとともに、当該スクロール後においても、ユーザが選択したコンテンツを基点として第一コンテンツリストをスクロールさせることができる。
【００３３】
また、例えば、前記表示制御装置は、更に、前記位置相違算出部は、前記第一基点コンテンツ位置と前記フォーカス位置との間に物理的な張力を擬似的に発生させた場合の、前記第一基点コンテンツ位置と前記フォーカス位置との間の距離に伴う前記張力の大きさを、前記第一基点コンテンツ位置と前記フォーカス位置との位置相違として算出する張力算出部を備え、前記第一スクロール処理部は、前記張力の擬似的な復元力に従い前記張力が小さくなるように、前記第一コンテンツリストをスクロールさせることにしてもよい。
【００３４】
これによれば、第一ポイント位置または第二ポイント位置の指定が受け付けられなくなった場合に、張力算出部が、第一基点コンテンツ位置とフォーカス位置との間の距離に伴う張力の大きさを、位置相違として算出し、第一スクロール処理部が、当該張力の擬似的な復元力に従い当該張力が小さくなるように、第一コンテンツリストをスクロールさせる。つまり、表示制御装置は、第一ポイント位置及び第二ポイント位置の指定による第一コンテンツリストのスクロール後における、第一基点コンテンツ位置とフォーカス位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択したコンテンツを基点としたコンテンツリストのスクロール制御を行うことが可能となる。
【００３５】
また、例えば、前記表示制御装置は、更に、前記張力の大きさを可視化して前記表示画面に表示させる張力表示部を備えることにしてもよい。また、例えば、前記張力表示部は、前記張力を擬似的なゴムまたはバネで表現して表示させることにしてもよい。また、例えば、前記張力表示部は、前記第一ポイント位置と前記第二ポイント位置との間に前記張力を表示させることにしてもよい。
【００３６】
これによれば、表示制御装置は、第一スクロール処理部及び第二スクロール処理部による第一コンテンツリストのスクロールにおいて、張力表示部によって、第一基点コンテンツ位置とフォーカス位置との間の張力の大きさを可視化して表示画面に表示させる。つまり、当該張力の大きさが可視化されて表示されるので、フォーカス位置に表示されているコンテンツと、基点コンテンツとの位置相違を視覚的に把握することができる。このため、ユーザが基点コンテンツとして選択したコンテンツを基点としたコンテンツリストのスクロール制御を視覚的に行うことが可能となる。
【００３７】
また、例えば、前記第一スクロール処理部は、前記位置相違の大きさに関わらず、同一の時間で前記位置相違が所定の大きさまで小さくなるように、前記第一コンテンツリストをスクロールさせることにしてもよい。
【００３８】
これによれば、第一スクロール処理部は、位置相違の大きさに関わらず、同一の時間で、第一コンテンツリストをスクロールさせる。つまり、第一スクロール処理部は、位置相違が大きくても小さくても、同一の時間で第一コンテンツリストをスクロールさせる。このように、当該位置相違の大きさに依存せず、第一コンテンツリストのスクロールの速度を制御することができる。
【００３９】
また、例えば、前記第一スクロール処理部は、前記位置相違の大きさに対応した時間で前記位置相違が所定の大きさまで小さくなるように、前記第一コンテンツリストをスクロールさせることにしてもよい。
【００４０】
これによれば、第一スクロール処理部は、位置相違の大きさに対応した時間で、第一コンテンツリストをスクロールさせる。例えば、第一スクロール処理部は、位置相違が大きくなるほど長い時間で、第一コンテンツリストをスクロールさせる。このように、当該位置相違の大きさに応じて、第一コンテンツリストのスクロールの速度を制御することができる。
【００４１】
また、例えば、前記第一スクロール処理部は、前記第一基点コンテンツ位置と前記フォーカス位置との間に存在するコンテンツ数に対応した時間で、前記位置相違が所定の大きさまで小さくなるように、前記第一コンテンツリストをスクロールさせることにしてもよい。
【００４２】
これによれば、第一スクロール処理部は、第一基点コンテンツ位置とフォーカス位置との間に存在するコンテンツ数に対応した時間で、第一コンテンツリストをスクロールさせる。例えば、第一スクロール処理部は、当該コンテンツ数が多いほど長い時間で、第一コンテンツリストをスクロールさせる。このように、当該コンテンツ数に応じて、第一コンテンツリストのスクロールの速度を制御することができる。
【００４３】
また、例えば、前記第一スクロール処理部は、前記基点コンテンツに対応付けられた時刻と前記フォーカス位置に存在するコンテンツに対応付けられた時刻との関係に対応した時間で、前記位置相違が所定の大きさまで小さくなるように、前記第一コンテンツリストをスクロールさせることにしてもよい。
【００４４】
これによれば、第一スクロール処理部は、基点コンテンツに対応付けられた時刻とフォーカス位置に存在するコンテンツに対応付けられた時刻との関係に対応した時間で、第一コンテンツリストをスクロールさせる。例えば、第一スクロール処理部は、基点コンテンツの撮像時刻と、フォーカス位置に存在するコンテンツの撮像時刻とを比較して、当該時刻の間の時間が長いほど、長い時間で第一コンテンツリストをスクロールさせる。このように、コンテンツに対応付けられた時刻に応じて、第一コンテンツリストのスクロールの速度を制御することができる。
【００４５】
また、例えば、前記基点コンテンツ特定部は、他の機器から、前記基点コンテンツを識別する情報を受信することで、前記情報で識別される基点コンテンツを特定することにしてもよい。
【００４６】
これによれば、基点コンテンツ特定部は、他の機器から、基点コンテンツを識別する情報を受信することで、当該情報で識別される基点コンテンツを特定する。つまり、ユーザが他の機器を操作して、表示制御装置に、基点コンテンツを識別する情報を送信することで、表示制御装置は、当該情報を受信し、当該情報で識別される基点コンテンツの選択を受け付ける。このように、ユーザがタブレットやモバイル端末などによって操作を行うことで、表示制御装置によって大画面テレビなどに表示されたコンテンツリストのスクロール制御を行うことができる。
【００４７】
なお、本発明は、このような表示制御装置として実現することができるだけでなく、表示制御装置が行う特徴的な処理をステップとする表示制御方法として実現することもでき、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができる。また、本発明は、このような表示制御装置が備える特徴的な処理部を備える集積回路として実現することもできる。また、これらの装置、方法、集積回路、コンピュータプログラムおよび記録媒体の任意な組み合わせで実現されてもよい。
【００４８】
以下、本発明の実施の形態について、図面を参照しながら説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００４９】
（実施の形態１）
以下、図面を参照して、本発明の実施の形態１について説明する。
【００５０】
図１は、本発明の実施の形態１における表示制御装置１００の機能的な構成を示すブロック図である。
【００５１】
同図に示すように、表示制御装置１００は、基点コンテンツ選択部１１０と、基点コンテンツ位置取得部１２０と、フォーカス位置取得部１３０と、位置相違算出部１４０と、第一スクロール処理部１５０と、第一コンテンツリスト表示部１６０とを備えている。
【００５２】
第一コンテンツリスト表示部１６０は、スクロール動作可能なコンテンツのリストである第一コンテンツリストを表示画面１０１に表示させる。第一コンテンツリストの詳細な説明については、後述する。
【００５３】
基点コンテンツ選択部１１０は、第一コンテンツリストにおける基点コンテンツの選択を受け付ける。ここで、基点コンテンツとは、第一コンテンツリストで示されるコンテンツのうち、ユーザにより選択されたコンテンツである。つまり、本実施の形態における基点コンテンツ選択部１１０は、第一コンテンツリストにおける基点コンテンツを、選択により特定する基点コンテンツ特定部として機能する。
【００５４】
具体的には、基点コンテンツ選択部１１０は、ユーザ操作に基づき、ユーザによるコンテンツ選択に関する情報を取得する。そして、基点コンテンツ選択部１１０は、取得したコンテンツ選択に関する情報に基づき、ユーザにより選択されたコンテンツを第一コンテンツリストにおける基点コンテンツとして設定する。
【００５５】
基点コンテンツ位置取得部１２０は、第一コンテンツリストにおける基点コンテンツの位置である第一基点コンテンツ位置を取得する。第一基点コンテンツ位置の詳細な説明については、後述する。
【００５６】
フォーカス位置取得部１３０は、表示画面１０１に表示された第一コンテンツリスト中の所定の領域についての第一コンテンツリストにおける位置であるフォーカス位置を取得する。フォーカス位置の詳細な説明については、後述する。
【００５７】
位置相違算出部１４０は、基点コンテンツ位置取得部１２０が取得した第一基点コンテンツ位置と、フォーカス位置取得部１３０が取得したフォーカス位置との位置相違を算出する。つまり、位置相違算出部１４０は、第一コンテンツリストにおける基点コンテンツ選択部１１０により設定された基点コンテンツの位置とフォーカス位置との位置関係を把握する。
【００５８】
第一スクロール処理部１５０は、位置相違算出部１４０が算出した位置相違が小さくなるように、表示画面１０１に表示された第一コンテンツリストをスクロールさせる。また、第一スクロール処理部１５０は、ユーザによるスクロール操作に関する情報に基づき、コンテンツリストのスクロールを制御する。例えば、ユーザによるスクロール操作に関する情報がスクロールやコンテンツリスト停止といった場合には、そのとおりコンテンツリストのスクロール制御を行う。
【００５９】
図２は、本発明の実施の形態１における第一コンテンツリスト、基点コンテンツ位置及びフォーカス位置を説明するための図である。
【００６０】
同図の（ａ）に示すように、第一コンテンツリストＬ１は、例えば撮影し取得された写真や動画等のコンテンツが撮影し取得された順番に並べられたリストを表している。表示画面１０１は、例えばテレビやパソコン、タブレット端末、モバイル端末等のスクリーンやタッチパネルに映し出される画面エリアを表している。また、斜線部分は、第一コンテンツリストＬ１におけるフォーカス位置Ｆを示しており、表示画面１０１に固定配置されている。
【００６１】
同図の（ａ）では、現在、コンテンツ２が第一コンテンツリストＬ１における基点コンテンツとして選択されており、第一コンテンツリストＬ１上のフォーカス位置Ｆに配置されている。つまり、第一基点コンテンツ位置Ｃ１は、フォーカス位置Ｆと同じ位置である。ユーザは、第一コンテンツリストＬ１に対するスクロール操作を行うことができる。
【００６２】
同図の（ｂ）は、同図の（ａ）の状態から、ユーザが第一コンテンツリストＬ１に対してスクロール操作を行った場合の遷移状態を表しており、ここでは第一コンテンツリストＬ１を右方向へ４コンテンツ分スクロールしている。この状態では、第一コンテンツリストＬ１上において、基点コンテンツ２の位置である第一基点コンテンツ位置Ｃ１とフォーカス位置Ｆとの間には、位置相違が生じている。
【００６３】
図３は、本発明の実施の形態１における表示制御装置１００が行う処理の一例を示すフローチャートである。
【００６４】
図４は、本発明の実施の形態１における表示制御装置１００が行う処理を説明する図である。
【００６５】
まず、図３に示すように、第一コンテンツリスト表示部１６０は、スクロール動作可能なコンテンツのリストである第一コンテンツリストを表示画面１０１に表示させる（Ｓ１０２）。具体的には、図４の（ａ）に示すように、第一コンテンツリスト表示部１６０は、第一コンテンツリストＬ１を表示画面１０１に表示させる。
【００６６】
そして、図２に戻り、基点コンテンツ選択部１１０は、第一コンテンツリストにおける基点コンテンツの選択を受け付ける（Ｓ１０４）。例えば、図４の（ａ）に示すように、ユーザが、表示画面１０１上で第一コンテンツリストＬ１をスクロールして基点としたいコンテンツを探し、基点コンテンツ１を選択することで、基点コンテンツ選択部１１０は、当該基点コンテンツの選択を受け付ける。
【００６７】
そして、図２に戻り、基点コンテンツ位置取得部１２０は、第一コンテンツリストにおける基点コンテンツの位置である第一基点コンテンツ位置を取得する（Ｓ１０６）。具体的には、図４の（ｂ）に示すように、ユーザが更に第一コンテンツリストＬ１をスクロール操作し、基点コンテンツ位置取得部１２０は、当該スクロール後の第一基点コンテンツ位置Ｃ１を取得する。なお、基点コンテンツ位置取得部１２０は、第一コンテンツリストＬ１がスクロールした長さに基づき、当該第一基点コンテンツ位置Ｃ１を取得する。
【００６８】
そして、図２に戻り、フォーカス位置取得部１３０は、表示画面１０１に表示された第一コンテンツリスト中の所定の領域についての第一コンテンツリストにおける位置であるフォーカス位置を取得する（Ｓ１０８）。具体的には、図４の（ａ）または（ｂ）に示すように、フォーカス位置取得部１３０は、フォーカス位置Ｆを取得する。ここで、フォーカス位置Ｆは、表示画面１０１の画面全体を囲う領域に配置されている。
【００６９】
そして、図２に戻り、位置相違算出部１４０は、基点コンテンツ位置取得部１２０が取得した第一基点コンテンツ位置と、フォーカス位置取得部１３０が取得したフォーカス位置との位置相違を算出する（Ｓ１１０）。つまり、位置相違算出部１４０は、第一基点コンテンツ位置Ｃ１とフォーカス位置Ｆとの位置相違を算出する。
【００７０】
そして、第一スクロール処理部１５０は、位置相違算出部１４０が算出した位置相違が小さくなるように、表示画面１０１に表示された第一コンテンツリストをスクロールさせる（Ｓ１１２）。具体的には、図４の（ｃ）に示すように、第一スクロール処理部１５０は、第一基点コンテンツ位置Ｃ１とフォーカス位置Ｆとの位置相違が小さくなるように、第一コンテンツリストＬ１をスクロールさせる。そして、図４の（ｄ）に示すように、第一スクロール処理部１５０は、基点コンテンツがフォーカス位置Ｆに配置されると、第一コンテンツリストＬ１のスクロールを終了させる。
【００７１】
つまり、ユーザが表示画面１０１から手を離すと、基点コンテンツ１が画面中央に向かうように第一コンテンツリストＬ１がスクロール制御され、ユーザが第一コンテンツリストＬ１に対して操作を加えないままでいると、最終的に基点コンテンツ１が画面中央に位置するようになる。
【００７２】
以上のように、本発明の実施の形態１における表示制御装置１００によれば、基点コンテンツの位置である第一基点コンテンツ位置とフォーカス位置との位置相違が小さくなるように、表示画面に表示された第一コンテンツリストをスクロールさせる。つまり、表示制御装置１００は、基点コンテンツをフォーカス位置に戻すように、第一コンテンツリストをスクロールさせる。これにより、ユーザが基点コンテンツとして選択したコンテンツを基点としたコンテンツリストのスクロール制御を行うことが可能となる。
【００７３】
このため、ユーザがコンテンツリストにおいてコンテンツ探索をする場合に、選択したコンテンツを基点としてスクロール操作を行うことができ、コンテンツリストのスクロール操作の利便性を高めることができる。これにより、ユーザが多くの操作を行って装置に大きな負荷が生じたり、使用電力が大きく増加したりすることを抑制することができる。
【００７４】
（実施の形態２）
次に、本発明の実施の形態２における表示制御装置２００について、説明する。
【００７５】
図５は、本発明の実施の形態２における表示制御装置２００の機能的な構成を示すブロック図である。
【００７６】
同図に示すように、表示制御装置２００は、基点コンテンツ選択部１１０と、基点コンテンツ位置取得部１２０と、フォーカス位置取得部１３０と、位置相違算出部１４０と、第一スクロール処理部１５０と、第一コンテンツリスト表示部１６０と、位置相違表示部２１０とを備えている。
【００７７】
ここで、基点コンテンツ選択部１１０、基点コンテンツ位置取得部１２０、フォーカス位置取得部１３０、位置相違算出部１４０、第一スクロール処理部１５０、及び第一コンテンツリスト表示部１６０については、上記実施の形態１における表示制御装置１００が備える各処理部と同様の機能を有するため、詳細な説明は省略する。
【００７８】
位置相違表示部２１０は、位置相違算出部１４０が算出した位置相違の大きさを可視化して、表示画面１０１に表示させる。具体的には、位置相違表示部２１０は、当該位置相違の大きさを、線の長さ、線の太さ、色の濃さ、矢印、及び数字のうちの少なくとも１つに対応させて表示させる。
【００７９】
なお、表示制御装置２００は、位置相違算出部１４０に加えて、または位置相違算出部１４０の替わりに、音声の大きさによって当該位置相違の大きさを表現する位置相違表現部（図示せず）を備えていることにしてもよい。
【００８０】
図６は、本発明の実施の形態２における表示制御装置２００が行う処理の一例を示すフローチャートである。
【００８１】
図７は、本発明の実施の形態２における表示制御装置２００が行う処理を説明する図である。
【００８２】
ここで、図６において、第一コンテンツリスト表示部１６０が第一コンテンツリストを表示画面１０１に表示（Ｓ１０２）させてから、第一スクロール処理部１５０が第一コンテンツリストをスクロールさせる（Ｓ１１２）までの処理は、上記実施の形態１における表示制御装置１００が行う処理（図３のＳ１０２〜Ｓ１１２）と同様であるため、詳細な説明は省略する。
【００８３】
そして、図６に示すように、位置相違表示部２１０は、位置相違算出部１４０が算出した位置相違の大きさを可視化して、表示画面１０１に表示させる（Ｓ２０２）。例えば、図７の（ｂ）及び（ｃ）に示すように、位置相違表示部２１０は、当該位置相違の大きさを、矢印の長さと太さとに対応させて、表示画面１０１に表示させる。つまり、例えば、位置相違表示部２１０は、図７の（ｂ）に示すように、当該位置相違の大きさが大きくなれば、矢印が長く及び細くなるように表示させ、図７の（ｃ）に示すように、当該位置相違の大きさが小さくなれば、矢印が短く及び太くなるように表示させる。
【００８４】
以上のように、本発明の実施の形態２における表示制御装置２００によれば、位置相違表示部２１０によって、第一基点コンテンツ位置とフォーカス位置との位置相違の大きさを可視化して表示画面に表示させる。つまり、当該位置相違の大きさが可視化されて表示されるので、フォーカス位置に表示されているコンテンツと、基点コンテンツとの位置相違を視覚的に把握することができる。このため、ユーザが基点コンテンツとして選択したコンテンツを基点としたコンテンツリストのスクロール制御を視覚的に行うことが可能となる。
【００８５】
（実施の形態３）
次に、本発明の実施の形態３における表示制御装置３００について、説明する。
【００８６】
図８は、本発明の実施の形態３における表示制御装置３００の機能的な構成を示すブロック図である。
【００８７】
同図に示すように、表示制御装置３００は、基点コンテンツ選択部１１０と、基点コンテンツ位置取得部１２０と、フォーカス位置取得部１３０と、位置相違算出部３１０と、第一スクロール処理部１５０と、第一コンテンツリスト表示部１６０と、張力表示部３２０とを備えている。
【００８８】
ここで、基点コンテンツ選択部１１０、基点コンテンツ位置取得部１２０、フォーカス位置取得部１３０、第一スクロール処理部１５０、及び第一コンテンツリスト表示部１６０については、上記実施の形態１における表示制御装置１００が備える各処理部と同様の機能を有するため、詳細な説明は省略する。
【００８９】
位置相違算出部３１０は、張力算出部３１１を備えている。張力算出部３１１は、第一基点コンテンツ位置とフォーカス位置との間に物理的な張力を擬似的に発生させた場合の、第一基点コンテンツ位置とフォーカス位置との間の距離に伴う当該張力の大きさを、第一基点コンテンツ位置とフォーカス位置との位置相違として算出する。
【００９０】
また、第一スクロール処理部１５０は、張力算出部３１１が算出した張力の擬似的な復元力に従い当該張力が小さくなるように、第一コンテンツリストをスクロールさせる。
【００９１】
張力表示部３２０は、張力の大きさを可視化して表示画面１０１に表示させる。また、張力表示部３２０は、当該張力を擬似的なゴムまたはバネで表現して表示させる。また、張力表示部３２０は、第一基点コンテンツ位置とフォーカス位置との間に当該張力を表示させる。
【００９２】
なお、表示制御装置３００は、張力表示部３２０に加えて、または張力表示部３２０の替わりに、音声の大きさによって当該張力の大きさを表現する張力表現部（図示せず）を備えていることにしてもよい。以下の実施の形態においても、同様である。
【００９３】
図９は、本発明の実施の形態３における表示制御装置３００が行う処理の一例を示すフローチャートである。
【００９４】
図１０は、本発明の実施の形態３における表示制御装置３００が行う処理を説明する図である。
【００９５】
ここで、図８において、第一コンテンツリスト表示部１６０が第一コンテンツリストを表示画面１０１に表示（Ｓ１０２）させてから、フォーカス位置取得部１３０がフォーカス位置を取得する（Ｓ１０８）までの処理は、上記実施の形態１における表示制御装置１００が行う処理（図３のＳ１０２〜Ｓ１０８）と同様であるため、詳細な説明は省略する。
【００９６】
そして、図９に示すように、張力算出部３１１は、第一基点コンテンツ位置とフォーカス位置との間に物理的な張力を擬似的に発生させた場合の、第一基点コンテンツ位置とフォーカス位置との間の距離に伴う当該張力の大きさを算出する（Ｓ３０２）。
【００９７】
そして、第一スクロール処理部１５０は、張力算出部３１１が算出した張力の擬似的な復元力に従い当該張力が小さくなるように、第一コンテンツリストをスクロールさせる（Ｓ３０４）。
【００９８】
また、張力表示部３２０は、張力の大きさを可視化して表示画面１０１に表示させる（Ｓ３０６）。例えば、図１０の（ｂ）及び（ｃ）に示すように、張力表示部３２０は、当該張力を擬似的なバネで表現して、表示画面１０１に表示させる。
【００９９】
なお、バネの絵は同図に示した例に限らず、例えば、同図に示したバネと巻き数、太さ、大きさ、または形状などが異なるバネで表現したり、伸びに応じて太さが変化するゴム紐のようなもので表現してもよい。また、バネの位置も同図に示した例に限らず、画面内の任意の位置に表示してもよい。
【０１００】
以上のように、本発明の実施の形態３における表示制御装置３００によれば、張力算出部３１１が、第一基点コンテンツ位置とフォーカス位置との間の距離に伴う張力の大きさを、位置相違として算出し、第一スクロール処理部１５０が、当該張力の擬似的な復元力に従い当該張力が小さくなるように、第一コンテンツリストをスクロールさせる。つまり、表示制御装置３００は、第一基点コンテンツ位置とフォーカス位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択したコンテンツを基点としたコンテンツリストのスクロール制御を行うことが可能となる。
【０１０１】
また、表示制御装置３００は、張力表示部３２０によって、第一基点コンテンツ位置とフォーカス位置との間の張力の大きさを可視化して表示画面１０１に表示させる。つまり、当該張力の大きさが可視化されて表示されるので、フォーカス位置に表示されているコンテンツと、基点コンテンツとの位置相違を視覚的に把握することができる。このため、ユーザが基点コンテンツとして選択したコンテンツを基点としたコンテンツリストのスクロール制御を視覚的に行うことが可能となる。
【０１０２】
（実施の形態４）
次に、本発明の実施の形態４における表示制御装置４００について、説明する。
【０１０３】
図１１は、本発明の実施の形態４における表示制御装置４００の機能的な構成を示すブロック図である。
【０１０４】
同図に示すように、表示制御装置４００は、基点コンテンツ選択部１１０と、基点コンテンツ位置取得部１２０と、フォーカス位置取得部１３０と、基点コンテンツ表示部４１０と、位置相違算出部４２０と、第一スクロール処理部１５０と、第一コンテンツリスト表示部１６０と、張力表示部３２０とを備えている。
【０１０５】
ここで、基点コンテンツ選択部１１０、基点コンテンツ位置取得部１２０、フォーカス位置取得部１３０、第一スクロール処理部１５０、及び第一コンテンツリスト表示部１６０については、上記実施の形態１における表示制御装置１００が備える各処理部と同様の機能を有するため、詳細な説明は省略する。また、張力表示部３２０は、上記実施の形態３における表示制御装置３００が備える張力表示部３２０と同様の機能を有するため、詳細な説明は省略する。
【０１０６】
基点コンテンツ表示部４１０は、表示画面１０１上の第一コンテンツリストとは別領域に、基点コンテンツを表示させる。
【０１０７】
位置相違算出部４２０は、張力算出部４２１を備えている。張力算出部４２１は、第一基点コンテンツ位置と第二基点コンテンツ位置との間に物理的な張力を擬似的に発生させた場合の、第一基点コンテンツ位置と第二基点コンテンツ位置との間の距離に伴う張力の大きさを、第一基点コンテンツ位置とフォーカス位置との位置相違として算出する。ここで、第二基点コンテンツ位置とは、基点コンテンツ表示部４１０により表示された基点コンテンツの位置であって、第一基点コンテンツ位置との位置相違が第一基点コンテンツ位置とフォーカス位置との位置相違と対応する位置である。
【０１０８】
また、第一スクロール処理部１５０は、張力算出部４２１が算出した張力の擬似的な復元力に従い当該張力が小さくなるように、第一コンテンツリストをスクロールさせる。
【０１０９】
また、張力表示部３２０は、張力の大きさを可視化して表示画面１０１に表示させる。また、張力表示部３２０は、当該張力を擬似的なゴムまたはバネで表現して表示させる。また、張力表示部３２０は、第二基点コンテンツ位置と第一基点コンテンツ位置との間に当該張力を表示させる。
【０１１０】
図１２は、本発明の実施の形態４における表示制御装置４００が行う処理の一例を示すフローチャートである。
【０１１１】
図１３及び図１４は、本発明の実施の形態４における表示制御装置４００が行う処理を説明する図である。
【０１１２】
ここで、図１２において、第一コンテンツリスト表示部１６０が第一コンテンツリストを表示画面１０１に表示（Ｓ１０２）させてから、フォーカス位置取得部１３０がフォーカス位置を取得する（Ｓ１０８）までの処理は、上記実施の形態１における表示制御装置１００が行う処理（図３のＳ１０２〜Ｓ１０８）と同様であるため、詳細な説明は省略する。
【０１１３】
そして、図１２に示すように、基点コンテンツ表示部４１０は、表示画面１０１上の第一コンテンツリストとは別領域に、基点コンテンツを表示させる（Ｓ４０２）。具体的には、図１３の（ａ）に示すように、第一レイヤＲ１に、撮影し取得されたコンテンツのリストである第一コンテンツリストＬ１を表示し、第二レイヤＲ２に、撮影し取得された第一コンテンツリストＬ１からユーザにより選出された基点コンテンツの候補のリストを表示するような画面構成となっている。
【０１１４】
そして、図１２に戻り、張力算出部４２１は、基点コンテンツ表示部４１０により表示された基点コンテンツの第二基点コンテンツ位置と第一基点コンテンツ位置との間に物理的な張力を擬似的に発生させた場合の、第一基点コンテンツ位置と第二基点コンテンツ位置との間の距離に伴う張力の大きさを算出する（Ｓ４０４）。具体的には、図１３の（ｂ）に示すように、例えば基点コンテンツ３が選択された場合、張力算出部４２１は、基点コンテンツ３の第一基点コンテンツ位置Ｃ１と、基点コンテンツ３の第二基点コンテンツ位置Ｃ２との間の距離に伴う張力の大きさを算出する。
【０１１５】
なお、第二基点コンテンツ位置Ｃ２は、基点コンテンツ表示部４１０により表示された第二レイヤＲ２内の位置であって、第一基点コンテンツ位置Ｃ１との位置相違が第一基点コンテンツ位置Ｃ１とフォーカス位置Ｆとの位置相違と対応する位置である。つまり、同図では、第一基点コンテンツ位置Ｃ１及び第二基点コンテンツ位置Ｃ２の水平方向の位置相違と、第一基点コンテンツ位置Ｃ１及びフォーカス位置Ｆとの水平方向の位置相違とは、同じ大きさである。
【０１１６】
そして、図１２に戻り、第一スクロール処理部１５０は、張力算出部４２１が算出した張力の擬似的な復元力に従い当該張力が小さくなるように、第一コンテンツリストをスクロールさせる（Ｓ３０４）。また、張力表示部３２０は、張力の大きさを可視化して表示画面１０１に表示させる（Ｓ３０６）。
【０１１７】
このように、図１３の（ａ）〜（ｂ）に示すように、ユーザは、第二レイヤＲ２に表示される基点コンテンツの選出リストをスクロールすることによって、基点コンテンツを選択して変更する。そして、その後ユーザが操作を加えなければ、同図の（ｃ）〜（ｄ）のように、第一レイヤＲ１に表示される第一コンテンツリストＬ１が、第一基点コンテンツ位置Ｃ１がフォーカス位置Ｆに来るようにスクロール制御される。
【０１１８】
また、同図の例では、張力表示部３２０は、第一レイヤＲ１に表示される第一コンテンツリストＬ１上の基点コンテンツと第二レイヤＲ２に表示される選出リスト上の基点コンテンツとを結ぶゴムにより、第一コンテンツリストＬ１に働く張力を表現している。
【０１１９】
また、図１４の例は、図１３の例に示すユーザ操作及び画面遷移と同様であるが、図１４の（ａ）〜（ｄ）に示すように、第一コンテンツリストＬ１が、第一基点コンテンツ位置Ｃ１がフォーカス位置Ｆに来るようにスクロール制御される過程を示している。つまり、同図では、張力表示部３２０によって、第一基点コンテンツ位置Ｃ１がフォーカス位置Ｆに対してどの位置にあるかを数値で示すことで、ユーザにとってスクロール制御過程を分かり易くする方法を表している。また、表示制御装置４００は、音声等によってスクロール制御過程を表現することにしてもよい。
【０１２０】
以上のように、本発明の実施の形態４における表示制御装置４００によれば、張力算出部４２１が、第一コンテンツリストとは別領域の基点コンテンツの第二基点コンテンツ位置と第一基点コンテンツ位置との間の距離に伴う張力の大きさを、位置相違として算出し、第一スクロール処理部１５０が、当該張力の擬似的な復元力に従い当該張力が小さくなるように、第一コンテンツリストをスクロールさせる。つまり、表示制御装置４００は、第二基点コンテンツ位置と第一基点コンテンツ位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択したコンテンツを基点としたコンテンツリストのスクロール制御を行うことが可能となる。
【０１２１】
また、表示制御装置４００は、張力表示部３２０によって、第二基点コンテンツ位置と第一基点コンテンツ位置との間の張力の大きさを可視化して表示画面１０１に表示させる。つまり、当該張力の大きさが可視化されて表示されるので、第二基点コンテンツ位置と第一基点コンテンツ位置との位置相違を視覚的に把握することができる。このため、ユーザが基点コンテンツとして選択したコンテンツを基点としたコンテンツリストのスクロール制御を視覚的に行うことが可能となる。
【０１２２】
（実施の形態５）
次に、本発明の実施の形態５における表示制御装置５００について、説明する。
【０１２３】
図１５は、本発明の実施の形態５における表示制御装置５００の機能的な構成を示すブロック図である。
【０１２４】
同図に示すように、表示制御装置５００は、基点コンテンツ選択部１１０と、基点コンテンツ位置取得部１２０と、フォーカス位置取得部１３０と、第二コンテンツリスト表示部５１０と、位置相違算出部５２０と、第一スクロール処理部１５０と、第一コンテンツリスト表示部１６０と、張力表示部３２０とを備えている。
【０１２５】
ここで、基点コンテンツ選択部１１０、基点コンテンツ位置取得部１２０、フォーカス位置取得部１３０、第一スクロール処理部１５０、及び第一コンテンツリスト表示部１６０については、上記実施の形態１における表示制御装置１００が備える各処理部と同様の機能を有するため、詳細な説明は省略する。また、張力表示部３２０は、上記実施の形態３における表示制御装置３００が備える張力表示部３２０と同様の機能を有するため、詳細な説明は省略する。
【０１２６】
第二コンテンツリスト表示部５１０は、表示画面１０１上の第一コンテンツリストとは別領域に、基点コンテンツの候補となるコンテンツのリストである第二コンテンツリストを表示させる。
【０１２７】
位置相違算出部５２０は、張力算出部５２１を備えている。張力算出部５２１は、第三基点コンテンツ位置と第一基点コンテンツ位置との間に物理的な張力を擬似的に発生させた場合の、第三基点コンテンツ位置と第一基点コンテンツ位置との間の距離に伴う張力の大きさを、第一基点コンテンツ位置とフォーカス位置との位置相違として算出する。ここで、第三基点コンテンツ位置とは、第二コンテンツリストにおいて選択された基点コンテンツの位置であって、第一基点コンテンツ位置との位置相違が第一基点コンテンツ位置とフォーカス位置との位置相違と対応する位置である。
【０１２８】
また、第一スクロール処理部１５０は、張力算出部５２１が算出した張力の擬似的な復元力に従い当該張力が小さくなるように、第一コンテンツリストをスクロールさせる。
【０１２９】
また、張力表示部３２０は、張力の大きさを可視化して表示画面１０１に表示させる。また、張力表示部３２０は、当該張力を擬似的なゴムまたはバネで表現して表示させる。また、張力表示部３２０は、第三基点コンテンツ位置と第一基点コンテンツ位置との間に当該張力を表示させる。
【０１３０】
図１６は、本発明の実施の形態５における表示制御装置５００が行う処理の一例を示すフローチャートである。
【０１３１】
図１７及び図１８は、本発明の実施の形態５における表示制御装置５００が行う処理を説明する図である。
【０１３２】
まず、図１６に示すように、第一コンテンツリスト表示部１６０は、第一コンテンツリストを表示画面１０１に表示させる（Ｓ１０２）。そして、第二コンテンツリスト表示部５１０は、表示画面１０１上の第一コンテンツリストとは別領域に、基点コンテンツの候補となるコンテンツのリストである第二コンテンツリストを表示させる（Ｓ５０２）。
【０１３３】
具体的には、図１７の（ａ）に示すように、第一コンテンツリスト表示部１６０は、第一コンテンツリストＬ１を表示画面１０１の第一レイヤＲ１内に表示させるとともに、第二コンテンツリスト表示部５１０は、第二コンテンツリストＬ２を第三レイヤＲ３内に表示させる。ここで、第二コンテンツリストＬ２は、例えば、ユーザによって第一コンテンツリストＬ１から基点コンテンツの候補として選出されたコンテンツが選出順に並べられたリストを表している。ここで、第一コンテンツリストＬ１上のコンテンツ１〜５は、第二コンテンツリストＬ２に並べられたコンテンツ１〜５と対応している。
【０１３４】
なお、図１６において、基点コンテンツ選択部１１０が第一コンテンツリストにおける基点コンテンツの選択を受け付け（Ｓ１０４）てから、フォーカス位置取得部１３０がフォーカス位置を取得する（Ｓ１０８）までの処理は、上記実施の形態１における表示制御装置１００が行う処理（図３のＳ１０４〜Ｓ１０８）と同様であるため、詳細な説明は省略する。
【０１３５】
そして、図１６に示すように、位置相違算出部５２０は、基点コンテンツ位置とフォーカス位置との間に位置相違があるか否かを判断する（Ｓ５０４）。位置相違算出部５２０が当該位置相違がないと判断した場合（Ｓ５０４でＮ）は、Ｓ１０６の処理に戻る。
【０１３６】
また、位置相違算出部５２０が当該位置相違があると判断した場合（Ｓ５０４でＹ）は、張力算出部５２１は、第三基点コンテンツ位置と第一基点コンテンツ位置との間の距離に伴う張力の大きさを算出する（Ｓ５０６）。具体的には、図１７の（ｂ）に示すように、例えば基点コンテンツ３が選択された場合、張力算出部５２１は、基点コンテンツ３の第一基点コンテンツ位置Ｃ１と、基点コンテンツ３の第三基点コンテンツ位置Ｃ３との間の距離に伴う張力の大きさを算出する。
【０１３７】
つまり、図１７の（ｂ）は、同図の（ａ）の状態から、ユーザが、第二コンテンツリストＬ２に対してスクロール操作を行ったり、直接コンテンツを指定したりして基点コンテンツの変更を行った場合の遷移状態を表している。そして、ここでは第一コンテンツリストＬ１に対する基点コンテンツとなるコンテンツが、基点コンテンツ２から基点コンテンツ３に変更されている。
【０１３８】
そして、同図の状態では、第一コンテンツリストＬ１上において基点コンテンツ３の第一基点コンテンツ位置Ｃ１とフォーカス位置Ｆとの間に相違が生じており、基点コンテンツ３がフォーカス位置Ｆに引っ張られるような張力Ｔ１が第一コンテンツリストＬ１に働く。
【０１３９】
なお、第三基点コンテンツ位置Ｃ３とは、第二コンテンツリストＬ２において選択された基点コンテンツの位置であって、第一基点コンテンツ位置Ｃ１との位置相違が第一基点コンテンツ位置Ｃ１とフォーカス位置Ｆとの位置相違と対応する位置である。つまり、同図では、第一基点コンテンツ位置Ｃ１及び第三基点コンテンツ位置Ｃ３の水平方向の位置相違と、第一基点コンテンツ位置Ｃ１及びフォーカス位置Ｆとの水平方向の位置相違とは、同じ大きさである。
【０１４０】
また、同図の（ｃ）は、同図の（ａ）の状態から、ユーザが、第一コンテンツリストＬ１に対してスクロール操作を行った場合の遷移状態を表しており、ここでは第一コンテンツリストＬ１を右方向へ４コンテンツ分スクロールしている。この状態では、第一コンテンツリストＬ１上において、基点コンテンツ２の第一基点コンテンツ位置Ｃ１とフォーカス位置Ｆとの間に相違が生じており、基点コンテンツ２がフォーカス位置Ｆに引っ張られるような張力Ｔ２が第一コンテンツリストＬ１に働く。
【０１４１】
そして、図１６に戻り、第一スクロール処理部１５０は、第一コンテンツリストに対して、ユーザによる操作があるか否かを判断する（Ｓ５０８）。そして、第一スクロール処理部１５０は、第一コンテンツリストに対してユーザによる操作があると判断した場合（Ｓ５０８でＹ）、当該ユーザ操作に基づき、第一コンテンツリストをスクロールさせ（Ｓ５１０）、Ｓ１０６の処理に戻る。
【０１４２】
また、第一スクロール処理部１５０は、第一コンテンツリストに対してユーザによる操作がないと判断した場合（Ｓ５０８でＮ）、張力算出部５２１が算出した張力の擬似的な復元力に従い当該張力が小さくなるように、第一コンテンツリストをスクロールさせる（Ｓ３０４）。つまり、図１７の（ｂ）の場合には、第一コンテンツリストＬ１は基点コンテンツ３がフォーカス位置Ｆに来るようにスクロールされる。また、図１７の（ｃ）の場合には、第一コンテンツリストＬ１は基点コンテンツ２がフォーカス位置Ｆに来るようにスクロールされる。
【０１４３】
また、張力表示部３２０は、張力の大きさを可視化して表示画面１０１に表示させる（Ｓ３０６）。
【０１４４】
そして、表示制御装置５００は、第一コンテンツリストに対して張力による働きかけがあるか否かを判断する（Ｓ５１２）。表示制御装置５００は、当該張力による働きかけがあると判断した場合（Ｓ５１２でＹ）は、Ｓ１０６の処理に戻り、当該張力による働きかけがないと判断した場合（Ｓ５１２でＮ）は、処理を終了する。
【０１４５】
なお、表示制御装置５００は、図１６に示した全ての処理を行う必要はなく、当該処理のうち、Ｓ５０４、Ｓ５０８、Ｓ５１０及びＳ５１２の少なくとも１つの処理を省略して行うことにてもよい。
【０１４６】
また、図１８の例では、第一レイヤＲ１に撮影し取得されたコンテンツのリストである第一コンテンツリストＬ１を表示し、第二レイヤＲ２にユーザにより選択された基点コンテンツ、第三レイヤＲ３に第一コンテンツリストＬ１からユーザにより選出された基点コンテンツの候補のリストである第二コンテンツリストＬ２を表示するような画面構成となっている。
【０１４７】
同図の例におけるユーザ操作と画面遷移は、例えば、同図の（ａ）〜（ｂ）のように、ユーザは第三レイヤＲ３に表示される第二コンテンツリストＬ２をスクロールすることによって基点コンテンツを選択して変更する。そして、その後ユーザが操作を加えなければ、同図の（ｃ）〜（ｄ）のように、第一レイヤＲ１に表示される第一コンテンツリストＬ１が、第一基点コンテンツ位置Ｃ１がフォーカス位置Ｆに来るようにスクロール制御される。
【０１４８】
また、同図の例では、第一レイヤＲ１に表示される第一コンテンツリストＬ１上の第一基点コンテンツ位置Ｃ１と第三レイヤＲ３に表示される第二コンテンツリストＬ２上の第三基点コンテンツ位置Ｃ３とを結ぶゴムにより、第一コンテンツリストＬ１に働く張力を表現している。
【０１４９】
以上のように、本発明の実施の形態５における表示制御装置５００によれば、張力算出部５２１が、第二コンテンツリストにおいて選択された基点コンテンツの第三基点コンテンツ位置と第一基点コンテンツ位置との間の距離に伴う張力の大きさを、位置相違として算出し、第一スクロール処理部１５０が、当該張力の擬似的な復元力に従い当該張力が小さくなるように、第一コンテンツリストをスクロールさせる。つまり、表示制御装置５００は、第三基点コンテンツ位置と第一基点コンテンツ位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択したコンテンツを基点としたコンテンツリストのスクロール制御を行うことが可能となる。
【０１５０】
また、表示制御装置５００は、張力表示部３２０によって、第三基点コンテンツ位置と第一基点コンテンツ位置との間の張力の大きさを可視化して表示画面に表示させる。つまり、当該張力の大きさが可視化されて表示されるので、第三基点コンテンツ位置と第一基点コンテンツ位置との位置相違を視覚的に把握することができる。このため、ユーザが基点コンテンツとして選択したコンテンツを基点としたコンテンツリストのスクロール制御を視覚的に行うことが可能となる。
【０１５１】
（実施の形態６）
次に、本発明の実施の形態６における表示制御装置６００について、説明する。
【０１５２】
図１９は、本発明の実施の形態６における表示制御装置６００の機能的な構成を示すブロック図である。
【０１５３】
同図に示すように、表示制御装置６００は、基点コンテンツ選択部１１０と、基点コンテンツ位置取得部１２０と、フォーカス位置取得部１３０と、第一ポイント取得部６１０と、第二ポイント取得部６２０と、第二スクロール処理部６３０と、位置相違算出部６４０と、第一スクロール処理部１５０と、第一コンテンツリスト表示部１６０と、張力表示部３２０とを備えている。
【０１５４】
ここで、基点コンテンツ選択部１１０、基点コンテンツ位置取得部１２０、フォーカス位置取得部１３０、第一スクロール処理部１５０、及び第一コンテンツリスト表示部１６０については、上記実施の形態１における表示制御装置１００が備える各処理部と同様の機能を有するため、詳細な説明は省略する。また、張力表示部３２０は、上記実施の形態３における表示制御装置３００が備える張力表示部３２０と同様の機能を有するため、詳細な説明は省略する。
【０１５５】
第一ポイント取得部６１０は、表示画面１０１上における第一ポイントの位置である第一ポイント位置の指定を受け付ける。例えば、表示画面１０１上でのユーザ操作によって、第一ポイント取得部６１０は、第一ポイント位置の指定を受け付ける。
【０１５６】
第二ポイント取得部６２０は、表示画面１０１上における第二ポイントの位置である第二ポイント位置の指定を受け付ける。例えば、表示画面１０１上でのユーザ操作によって、第二ポイント取得部６２０は、第二ポイント位置の指定を受け付ける。
【０１５７】
第二スクロール処理部６３０は、第一基点コンテンツ位置とフォーカス位置との位置相違が第一ポイント位置と第二ポイント位置との位置相違と対応するように、第一コンテンツリストをスクロールさせる。
【０１５８】
位置相違算出部６４０は、張力算出部６４１を備えている。張力算出部６４１は、第一基点コンテンツ位置とフォーカス位置との間に物理的な張力を擬似的に発生させた場合の、第一基点コンテンツ位置とフォーカス位置との間の距離に伴う張力の大きさを、第一基点コンテンツ位置とフォーカス位置との位置相違として算出する。
【０１５９】
また、第一スクロール処理部１５０は、第一ポイント取得部６１０が第一ポイント位置の指定を受け付けなくなった場合、または第二ポイント取得部６２０が第二ポイント位置の指定を受け付けなくなった場合に、第一基点コンテンツ位置とフォーカス位置との位置相違が小さくなるように、第一コンテンツリストをスクロールさせる。第一スクロール処理部は、当該張力の擬似的な復元力に従い当該張力が小さくなるように、第一コンテンツリストをスクロールさせる。
【０１６０】
また、張力表示部３２０は、張力の大きさを可視化して表示画面１０１に表示させる。また、張力表示部３２０は、当該張力を擬似的なゴムまたはバネで表現して表示させる。また、張力表示部３２０は、第一ポイント位置と第二ポイント位置との間に当該張力を表示させる。
【０１６１】
図２０は、本発明の実施の形態６における表示制御装置６００が行う処理の一例を示すフローチャートである。
【０１６２】
図２１及び図２２は、本発明の実施の形態６における表示制御装置６００が行う処理を説明する図である。
【０１６３】
ここで、図２０において、第一コンテンツリスト表示部１６０が第一コンテンツリストを表示画面１０１に表示（Ｓ１０２）させてから、フォーカス位置取得部１３０がフォーカス位置を取得する（Ｓ１０８）までの処理は、上記実施の形態１における表示制御装置１００が行う処理（図３のＳ１０２〜Ｓ１０８）と同様であるため、詳細な説明は省略する。
【０１６４】
そして、図２０に示すように、第一ポイント取得部６１０は、表示画面１０１上における第一ポイント位置の指定を受け付ける（Ｓ６０２）。
【０１６５】
そして、第二ポイント取得部６２０は、表示画面１０１上における第二ポイント位置の指定を受け付ける（Ｓ６０４）。
【０１６６】
そして、第二スクロール処理部６３０は、第一基点コンテンツ位置とフォーカス位置との位置相違が第一ポイント位置と第二ポイント位置との位置相違と対応するように、第一コンテンツリストをスクロールさせる（Ｓ６０６）。
【０１６７】
例えば、ユーザは、基点コンテンツ１を選択し、図２１の（ａ）に示すように、片方の手（左手）の指で画面上の基準点となる位置である第一ポイント位置Ｐ１をポインティングする。そして、同図の（ａ）〜（ｃ）に示すように、当該ユーザは、もう片方の手（右手）の指でその基準点から位置をずらすように第二ポイント位置Ｐ２をポインティングしていく。これにより、両指がポインティングする位置の相違である第一ポイント位置Ｐ１と第二ポイント位置Ｐ２との位置相違が、第一コンテンツリストＬ１上の第一基点コンテンツ位置Ｃ１とフォーカス位置Ｆ（画面中央位置）との位置相違と対応するように、第一コンテンツリストＬ１がスクロールされる。
【０１６８】
そして、図２０に戻り、位置相違算出部６４０は、第一ポイント取得部６１０が第一ポイント位置の指定を受け付けなくなった、または第二ポイント取得部６２０が第二ポイント位置の指定を受け付けなくなったか否かを判断する（Ｓ６０８）。位置相違算出部６４０が、第一ポイント位置及び第二ポイント位置の指定を受け付けていると判断した場合（Ｓ６０８でＮ）は、Ｓ６０２の処理に戻る。
【０１６９】
位置相違算出部６４０が、第一ポイント位置または第二ポイント位置の指定を受け付けなくなったと判断した場合（Ｓ６０８でＹ）は、張力算出部６４１は、第一基点コンテンツ位置とフォーカス位置との間の距離に伴う張力の大きさを算出する（Ｓ６１０）。
【０１７０】
そして、第一スクロール処理部１５０は、第一基点コンテンツ位置とフォーカス位置との位置相違が小さくなるように、第一コンテンツリストをスクロールさせる（Ｓ３０４）。つまり、第一スクロール処理部は、当該張力の擬似的な復元力に従い当該張力が小さくなるように、第一コンテンツリストをスクロールさせる。そして、張力表示部３２０は、張力の大きさを可視化して表示画面１０１に表示させる（Ｓ３０６）。
【０１７１】
具体的には、図２１の（ｃ）〜（ｄ）に示すように、もう片方の手（右手）の指をタッチパネルから離すと、第一コンテンツリストＬ１が、第一基点コンテンツ位置Ｃ１がフォーカス位置Ｆに来るようにスクロール制御される。ここでは、両指がポインティングする位置の間にバネ等を表示して、ユーザに操作過程を分かり易くしている。また、選択している基点コンテンツを表示画面１０１上にポップアップ等により表示することで、ユーザが基点コンテンツを容易に把握し易くしている。
【０１７２】
また、図２２の例では、ユーザが柔軟に基点コンテンツを変更する過程を示している。同図の（ａ）〜（ｃ）の過程は、図２１の（ａ）〜（ｃ）と同様であるが、図２２の（ｃ）〜（ｄ）のように、基準点をポインティングしていた片方の手（左手）の指をタッチパネルから離すと、画面上の基準点がもう片方の手（右手）の指がポインティングしている位置である第二ポイント位置Ｐ２に変わる。
【０１７３】
このように、現在表示されている基点コンテンツ２が基点コンテンツとして選択され、第一コンテンツリストＬ１が、新たな第一基点コンテンツ位置Ｃ１がフォーカス位置Ｆに来るようにスクロール制御される。ここでは、表示画面１０１上にポップアップ等で表示している基点コンテンツの位置を操作に対応させるように変化させて、ユーザが基点コンテンツの変更を容易に把握し易くしている。
【０１７４】
なお、図２１及び図２２におけるバネの絵はこれらの図に示した例に限らず、例えば、これらの図に示したバネと巻き数、太さ、大きさ、または形状などが異なるバネで表現したり、伸びに応じて太さが変化するゴム紐のようなもので表現してもよい。
【０１７５】
また、バネの位置もこれらの図に示した例に限らず、画面内の任意の位置に表示してもよい。つまり、これらの図において、左右の手の指の位置とバネの始点または終点とが一致するようにバネを表示するようにしたが、これに限らず、例えば手の指の位置から所定の距離離れた位置にバネの始点または終点が表示されるように、当該バネを表示するようにしてもよい。
【０１７６】
以上のように、本発明の実施の形態６における表示制御装置６００によれば、第二スクロール処理部６３０が、第一基点コンテンツ位置とフォーカス位置との位置相違が第一ポイント位置と第二ポイント位置との位置相違と対応するように、第一コンテンツリストをスクロールさせ、第一スクロール処理部が、第一ポイント位置または第二ポイント位置の指定が受け付けられなくなった場合に、当該位置相違が小さくなるように第一コンテンツリストをスクロールさせる。つまり、第一ポイント位置または第二ポイント位置の指定を受け付けることで、第一コンテンツリストはスクロールされるが、第一ポイント位置または第二ポイント位置の指定がなくなれば、当該位置相違が小さくなるように第一コンテンツリストがスクロールする。このため、例えば２本の指を用いて柔軟に第一コンテンツリストをスクロールさせることができるとともに、当該スクロール後においても、ユーザが選択したコンテンツを基点として第一コンテンツリストをスクロールさせることができる。
【０１７７】
また、第一ポイント位置または第二ポイント位置の指定が受け付けられなくなった場合に、張力算出部６４１が、第一基点コンテンツ位置とフォーカス位置との間の距離に伴う張力の大きさを、位置相違として算出し、第一スクロール処理部１５０が、当該張力の擬似的な復元力に従い当該張力が小さくなるように、第一コンテンツリストをスクロールさせる。つまり、表示制御装置６００は、第一ポイント位置及び第二ポイント位置の指定による第一コンテンツリストのスクロール後における、第一基点コンテンツ位置とフォーカス位置との位置相違を、擬似的に張力を用いて表現し、当該張力が小さくなるように第一コンテンツリストをスクロールさせる。これにより、張力というユーザにとって分かり易い表現を用いて、ユーザが基点コンテンツとして選択したコンテンツを基点としたコンテンツリストのスクロール制御を行うことが可能となる。
【０１７８】
また、表示制御装置６００は、第一スクロール処理部１５０及び第二スクロール処理部６３０による第一コンテンツリストのスクロールにおいて、張力表示部３２０によって、第一基点コンテンツ位置とフォーカス位置との間の張力の大きさを可視化して表示画面１０１に表示させる。つまり、当該張力の大きさが可視化されて表示されるので、フォーカス位置に表示されているコンテンツと、基点コンテンツとの位置相違を視覚的に把握することができる。このため、ユーザが基点コンテンツとして選択したコンテンツを基点としたコンテンツリストのスクロール制御を視覚的に行うことが可能となる。
【０１７９】
（実施の形態７）
次に、本発明の実施の形態７における表示制御装置７００について、説明する。上記実施の形態１〜６においては、タッチパネルを用いたユーザ操作と画面遷移を用いて説明を行ったが、ユーザ操作や画面表示はタッチパネルを用いたものに限らない。例えば、テレビやパソコン等のスクリーンに画面表示を行い、ユーザ操作はリモコンやキーボード等で行ってもよい。または、テレビやパソコン等のスクリーンに画面表示を行い、そのテレビやパソコン等と機器連携しているタブレットやモバイル端末等でユーザ操作や別画面表示を行ってもよい。
【０１８０】
図２３は、本発明の実施の形態７における表示制御装置７００を説明するための図である。
【０１８１】
具体的には、同図は、図１３の例に相当する画面表示をテレビやパソコン等の表示機器１０のスクリーンにて行い、そのテレビやパソコン等とリモートに機器連携しているタブレットやモバイル端末等の操作機器２０にて、表示機器１０の第二レイヤＲ２に画面表示させ、また当該画面表示についてのユーザ操作を行う、といったユーザ操作や画面表示の一例を示している。
【０１８２】
ここで、表示機器１０は、本実施の形態７における表示制御装置７００を備えており、表示制御装置７００は、上記実施の形態における基点コンテンツ選択部１１０などの各処理部を備えている。
【０１８３】
そして、基点コンテンツ選択部１１０は、他の機器である操作機器２０から、基点コンテンツを識別する情報を受信することで、当該情報で識別される基点コンテンツの選択を受け付ける。
【０１８４】
具体的には、同図に示すように、表示機器１０の第一レイヤＲ１と第二レイヤＲ２には、それぞれ図１３の例の第一レイヤＲ１と第二レイヤＲ２に相当する画面表示がなされている。そして、ユーザの手元にあるタブレットやモバイル端末等である操作機器２０のタッチパネル画面の第四レイヤＲ４は、表示機器１０における第二レイヤＲ２と画面表示を共有している。そして、操作機器２０のタッチパネル画面の第四レイヤＲ内にユーザが操作を加えると、それによる操作や画面遷移が、リモート操作の形で表示機器１０のスクリーン画面の第二レイヤＲ２内に反映される。
【０１８５】
以上のように、本発明の実施の形態７における表示制御装置７００によれば、基点コンテンツ選択部１１０は、他の機器である操作機器２０から、基点コンテンツを識別する情報を受信することで、当該情報で識別される基点コンテンツの選択を受け付ける。つまり、ユーザが操作機器２０を操作して、表示制御装置７００に、基点コンテンツを識別する情報を送信することで、表示制御装置７００は、当該情報を受信し、当該情報で識別される基点コンテンツの選択を受け付ける。このように、ユーザがタブレットやモバイル端末などによって操作を行うことで、表示制御装置７００によって大画面テレビなどに表示されたコンテンツリストのスクロール制御を行うことができる。
【０１８６】
なお、表示機器１０は、クラウド（クラウドコンピューティング）上のコンテンツが並んだコンテンツリストが表示されるサーバであり、ローカル端末である操作機器２０から当該クラウド上のコンテンツを操作することにしてもよい。
【０１８７】
また、表示制御装置７００が有する全ての機能が表示機器１０に備えられている必要はなく、表示制御装置７００の一部または全部の機能が操作機器２０に備えられていてもよい。
【０１８８】
（その他の実施の形態）
上記実施の形態では、コンテンツリストにおける基点コンテンツ位置がフォーカス位置と相違がある場合のスクロール制御を張力に基づくものとしたが、その場合のスクロール制御はそれに限らない。
【０１８９】
例えば、コンテンツリストにおける基点コンテンツ位置とフォーカス位置との位置相違の大きさに関わらず、同じ時間で基点コンテンツがフォーカス位置に来るようにコンテンツリストをスクロール制御してもよい。
【０１９０】
つまり、第一スクロール処理部１５０は、当該位置相違の大きさに関わらず、同一の時間で当該位置相違が所定の大きさまで小さくなるように第一コンテンツリストをスクロールさせる。このように、第一スクロール処理部１５０は、当該位置相違の大きさに依存せず、第一コンテンツリストのスクロールの速度を制御することができる。
【０１９１】
また、同一速度で基点コンテンツがフォーカス位置に来るように、コンテンツリストをスクロール制御してもよい。
【０１９２】
例えば、第一スクロール処理部１５０は、当該位置相違の大きさに対応した時間で位置相違が所定の大きさまで小さくなるように、第一コンテンツリストをスクロールさせる。例えば、第一スクロール処理部１５０は、位置相違が大きくなるほど長い時間で、第一コンテンツリストをスクロールさせる。このように、当該位置相違の大きさに応じて、第一コンテンツリストのスクロールの速度を制御することができる。
【０１９３】
また、第一スクロール処理部１５０は、第一基点コンテンツ位置とフォーカス位置との間に存在するコンテンツ数に対応した時間で、当該位置相違が所定の大きさまで小さくなるように、第一コンテンツリストをスクロールさせることにしてもよい。例えば、第一スクロール処理部１５０は、当該コンテンツ数が多いほど長い時間で、第一コンテンツリストをスクロールさせる。このように、当該コンテンツ数に応じて、第一コンテンツリストのスクロールの速度を制御することができる。
【０１９４】
また、コンテンツリストにおける基点コンテンツの撮影・取得時刻とフォーカス位置に存在するコンテンツの撮影・取得時刻との差に応じたスクロール制御をしてもよい。つまり、第一スクロール処理部１５０は、基点コンテンツに対応付けられた時刻とフォーカス位置に存在するコンテンツに対応付けられた時刻との関係に対応した時間で、当該位置相違が所定の大きさまで小さくなるように、第一コンテンツリストをスクロールさせる。このように、コンテンツに対応付けられた時刻に応じて、第一コンテンツリストのスクロールの速度を制御することができる。
【０１９５】
また、上記実施の形態での説明では、コンテンツのリスト表示を横軸とし、スクロール操作を左右としたが、これに限らない。
【０１９６】
また、上記実施の形態での説明では、例えば図１３において、表示画面１０１に、第一コンテンツリストＬ１が表示される第一レイヤＲ１と、基点コンテンツが表示される第二レイヤＲ２が設けられていることとしたが、当該レイヤの構成は限定されない。例えば、図２４に示すように、表示画面１０１に表示されているコンテンツの位置を示す第五レイヤＲ５が、表示画面１０１に設けられていることにしてもよい。図２４は、本発明の他の実施の形態における表示制御装置を説明するための図である。同図では、表示画面１０１に表示されている第一コンテンツリストＬ１内のコンテンツの存在位置が、第五レイヤＲ５内の存在位置Ａで示されている。
【０１９７】
また、画面表示または操作の方法は上記実施の形態での方法に限らない。例えば、コンテンツ表示のサイズまたは形状等は、上記実施の形態と異なるものであってもよい。
【０１９８】
また、上記実施の形態での説明では、第一コンテンツリストＬ１は、撮影し取得されたコンテンツが撮影し取得された順番に並べられたリストを表していることとした。しかし、第一コンテンツリストＬ１は、上記の例以外のコンテンツが並べられたリストであってもよい。例えば、第一コンテンツリストＬ１は、ＳＮＳ（Ｓｏｃｉａｌ  Ｎｅｔｗｏｒｋｉｎｇ  Ｓｅｒｖｉｃｅ）等にアップロードされることによりユーザ間で共有された後のコンテンツが並べられたリストであってもよい。
【０１９９】
また、第一コンテンツリストＬ１は、コンテンツが撮影された順番、コンテンツが保存された順番、コンテンツが共有された順番、または、コンテンツがユーザによって所定の規則に従って管理された順番に並べられたリストなど、コンテンツがどのような順番に並べられたリストであってもよい。
【０２００】
また、基点コンテンツとは、第一コンテンツリストＬ１で示されるコンテンツのうち、ユーザにより選択されたコンテンツであるとしたが、それ以外のものであってもよい。第一コンテンツリストＬ１で示されるコンテンツの一部に対して予め何らかの付加情報が付されている場合、この付加情報が付されたコンテンツを基点コンテンツとしてもよい。この場合、基点コンテンツ選択部１０１は、ユーザによる選択を受け付けることなく、コンテンツに付された付加情報に基づき基点コンテンツを特定する基点コンテンツ特定部として機能する。つまり、表示制御装置は、基点コンテンツの選択を受け付けるか否かにかかわらず、第一コンテンツリストにおける基点コンテンツを特定する機能を有していればよい。
【０２０１】
例えば、端末に保存されたコンテンツの一部に対して、ＳＮＳ等にアップロードされることによりユーザ間で共有されたコンテンツに対してその旨を識別するための付加情報が付されている場合、第一コンテンツリストＬ１を端末に保存されたコンテンツのリストとし、付加情報が付されたコンテンツ（ユーザ間で共有されたコンテンツ）を基点コンテンツとしてもよい。また、例えば、ＳＮＳ等にアップロードされることによりユーザ間で共有されたコンテンツの一部に対してコメント情報や評価情報が付されたコンテンツが付されている場合、第一コンテンツリストＬ１をＳＮＳ等にアップロードされることによりユーザ間で共有されたコンテンツのリストとし、コメント情報や評価情報が付されたコンテンツを基点コンテンツとしてもよい。
【０２０２】
また、上記実施の形態での説明では、第一コンテンツリストＬ１は、撮影し取得されたコンテンツが並べられたリストであり、第二コンテンツリストＬ２は、ユーザによって第一コンテンツリストＬ１から選出されたコンテンツが選出順に並べられたリストを表していることとした。しかし、第一コンテンツリストＬ１および第二コンテンツリストＬ２は、上記の例以外のコンテンツが並べられたリストであってもよい。
【０２０３】
例えば、第一コンテンツリストＬ１は、ユーザ間で共有される前のコンテンツが並べられたリストであり、第二コンテンツリストＬ２は、ユーザ間で共有された後のコンテンツが並べられたリストであってもよい。なお、ユーザ間で共有される前のコンテンツとは、ユーザが所有する端末に保存されたコンテンツであり、ユーザ間で共有された後のコンテンツとは、端末に保存されたコンテンツのうち、ＳＮＳ等にアップロードされることによりユーザ間で共有されたコンテンツである。また、第一コンテンツリストＬ１は、ユーザ間で共有された後のコンテンツが並べられたリストであり、第二コンテンツリストＬ２は、ユーザ間で共有されたコンテンツの中から、例えばユーザの選択により端末に保存されたコンテンツが並べられたリストであってもよい。
【０２０４】
また、第二コンテンツリストＬ２は、コンテンツが撮影された順番、コンテンツが保存された順番、コンテンツが共有された順番、または、コンテンツがユーザによって所定の規則に従って管理された順番に並べられたリストなど、コンテンツがどのような順番に並べられたリストであってもよい。
【０２０５】
また、第一コンテンツリストＬ１や第二コンテンツリストＬ２などのコンテンツリストの表示形態は、上記実施の形態には限定されない。図２５および図２６は、本発明の実施の形態におけるコンテンツリストの表示形態の他の例を示す図である。
【０２０６】
上記実施の形態での説明では、第一コンテンツリストＬ１や第二コンテンツリストＬ２などのコンテンツリストは、コンテンツが直線状に並ぶリストとして表示されていたが、コンテンツリスト中のコンテンツの並びは、円弧状、円形状または螺旋状等どのような並びであってもかまわない。例えば、図２５に示すように、第一コンテンツリストＬ１は、コンテンツが円形状のように曲線状に並ぶリストであってもよい。つまり、例えば、第二コンテンツリストＬ２において第三基点コンテンツ位置Ｃ３のコンテンツが選択された場合に、当該コンテンツに対応する第一コンテンツリストＬ１上の第一基点コンテンツ位置Ｃ１のコンテンツがフォーカス位置Ｆに近づくように、第一コンテンツリストＬ１がスクロールする。
【０２０７】
また、上記実施の形態での説明では、コンテンツリストは１列（第一コンテンツリストＬ１）または２列（第一コンテンツリストＬ１および第二コンテンツリストＬ２）であることとしたが、コンテンツリストは３列以上であってもよい。例えば、図２６に示すように、第一コンテンツリストＬ１および第二コンテンツリストＬ２に加え、第三コンテンツリストＬ３も表示されることにしてもよい。つまり、第二コンテンツリストＬ２には、第一コンテンツリストＬ１から選出されたコンテンツが並べられており、第三コンテンツリストＬ３には、第二コンテンツリストＬ２から選出されたコンテンツが並べられている。そして、例えば、第三コンテンツリストＬ３において第四基点コンテンツ位置Ｃ４のコンテンツが選択された場合に、当該コンテンツに対応する第二コンテンツリストＬ２上の第三基点コンテンツ位置Ｃ３のコンテンツがフォーカス位置Ｆ２に近づくように、第二コンテンツリストＬ２がスクロールする。また、第二コンテンツリストＬ２の第三基点コンテンツ位置Ｃ３のコンテンツに対応する第一コンテンツリストＬ１上の第一基点コンテンツ位置Ｃ１のコンテンツがフォーカス位置Ｆ１に近づくように、第一コンテンツリストＬ１がスクロールする。
【０２０８】
また、上記各実施の形態において、各構成要素は、専用のハードウェアで構成されてもよいし、各構成要素に適したソフトウェアプログラムを実行することによって実現されてもよい。例えば、各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２０９】
つまり、図１、図５、図８、図１１、図１５または図１９に示した表示制御装置の各構成要素は、ソフトウェアによって実現されてもよい。そして、上記各実施の形態の表示制御装置を実現するソフトウェアは、次のような表示制御方法に含まれるステップをコンピュータに実行させるプログラムである。すなわち、この表示制御方法は、スクロール動作可能なコンテンツのリストである第一コンテンツリストを表示画面に表示させる第一コンテンツリスト表示ステップと、前記第一コンテンツリストにおける基点コンテンツを特定する基点コンテンツ特定ステップと、前記第一コンテンツリストにおける前記基点コンテンツの位置である第一基点コンテンツ位置を取得する基点コンテンツ位置取得ステップと、前記表示画面に表示された前記第一コンテンツリスト中の所定の領域についての前記第一コンテンツリストにおける位置であるフォーカス位置を取得するフォーカス位置取得ステップと、取得された前記第一基点コンテンツ位置と前記フォーカス位置との位置相違を算出する位置相違算出ステップと、前記位置相違が小さくなるように、前記表示画面に表示された前記第一コンテンツリストをスクロールさせる第一スクロール処理ステップとを含む。
【０２１０】
また、そのようなプログラムは、ＣＤ−ＲＯＭ等の記録媒体及びインターネット等の伝送媒体を介して流通させることができる。
【０２１１】
また、本発明は、このような表示制御装置が備える特徴的な処理部を備える集積回路（ＬＳＩ）として実現することもできる。これらは個別に１チップ化されても良いし、一部又は全てを含むように１チップ化されても良い。具体的には、例えば、図１、図５、図８、図１１、図１５または図１９に示された表示制御装置が備える機能ブロック全てが１チップ化されていても良い。
【０２１２】
ここでは、ＬＳＩとしたが、集積度の違いにより、ＩＣ、システムＬＳＩ、スーパーＬＳＩ、ウルトラＬＳＩと呼称されることもある。
【０２１３】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０２１４】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０２１５】
以上、本発明に係る表示制御装置について、上記実施の形態を用いて説明したが、本発明は、これに限定されるものではない。
【０２１６】
つまり、今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０２１７】
本発明にかかる表示制御装置は、ユーザがコンテンツリストにおいてコンテンツ探索をする場合に、特定したコンテンツを基点としてスクロール操作を行うことができ、コンテンツリストにおいてコンテンツ探索を行う機能を有するテレビやパソコン、タブレット端末、モバイル端末等として有用である。
【符号の説明】
【０２１８】
１０  表示機器
２０  操作機器
１００、２００、３００、４００、５００、６００、７００  表示制御装置
１０１  表示画面
１１０  基点コンテンツ選択部
１２０  基点コンテンツ位置取得部
１３０  フォーカス位置取得部
１４０、３１０、４２０、５２０、６４０  位置相違算出部
１５０  第一スクロール処理部
１６０  第一コンテンツリスト表示部
２１０  位置相違表示部
３１１、４２１、５２１、６４１  張力算出部
３２０  張力表示部
４１０  基点コンテンツ表示部
５１０  第二コンテンツリスト表示部
６１０  第一ポイント取得部
６２０  第二ポイント取得部
６３０  第二スクロール処理部
【図１】
0006016641.tif 000002
【図２】
0006016641.tif 000003
【図３】
0006016641.tif 000004
【図４】
0006016641.tif 000005
【図５】
0006016641.tif 000006
【図６】
0006016641.tif 000007
【図７】
0006016641.tif 000008
【図８】
0006016641.tif 000009
【図９】
0006016641.tif 000010
【図１０】
0006016641.tif 000011
【図１１】
0006016641.tif 000012
【図１２】
0006016641.tif 000013
【図１３】
0006016641.tif 000014
【図１４】
0006016641.tif 000015
【図１５】
0006016641.tif 000016
【図１６】
0006016641.tif 000017
【図１７】
0006016641.tif 000018
【図１８】
0006016641.tif 000019
【図１９】
0006016641.tif 000020
【図２０】
0006016641.tif 000021
【図２１】
0006016641.tif 000022
【図２２】
0006016641.tif 000023
【図２３】
0006016641.tif 000024
【図２４】
0006016641.tif 000025
【図２５】
0006016641.tif 000026
【図２６】
0006016641.tif 000027